(57)【要約】【課題】電子ビューファインダ機能を一旦中止して、オートフォーカス動作を行うことで合焦状態になったとしても、光学ファインダにより物体像を観察可能にするとともに、使用者が望むタイミングで電子ビューファインダ機能を再開させる撮像装置を提供する。【解決手段】指示部材６８によりオートフォーカス動作の開始指示がなされている間は、ミラー部材１３０をミラーダウン位置とし、指示部材によりオートフォーカス動作の終了指示がなされると、ミラー部材を前記ミラーアップ位置に移動させる制御手段５０を有する。【選択図】図１
2009042366.tif 000002
【特許請求の範囲】
【請求項１】
撮像手段で撮像された画像を表示して電子ビューファインダとして機能する画像表示手段と、
撮像レンズに入射した光線を光学ファインダへ導くミラーダウン位置と前記撮像手段へ導くミラーアップ位置との間で移動可能なミラー部材と、
前記ミラー部材がミラーダウン位置にあるときに、光学像の焦点検出を行うオートフォーカス手段と、
前記オートフォーカス手段の動作開始及び終了を指示する指示部材と、
前記電子ビューファインダ機能時の際に、前記指示部材によりオートフォーカス動作の開始指示がなされた場合、前記ミラー部材をミラーダウン位置に移動させ、前記オートフォーカス手段にて焦点検出を行わせる制御手段とを有する撮像装置であって、
前記制御手段は、前記指示部材によりオートフォーカス動作の開始指示がなされている間は、前記ミラー部材をミラーダウン位置とし、前記指示部材によりオートフォーカス動作の終了指示がなされると、前記ミラー部材を前記ミラーアップ位置に移動させることを特徴とする撮像装置。
【請求項２】
前記光学ファインダと前記電子ビューファインダのいずれかにファインダモードを設定する設定手段を有することを特徴とする請求項１に記載の撮像装置。
【発明の詳細な説明】
【技術分野】
【０００１】
本発明は、撮像手段で撮像された画像を表示して電子ビューファインダとして機能する画像表示手段と、撮影の際の物体像を観察するための光学ファインダを有する撮像装置に関するものである。
【背景技術】
【０００２】
従来からある光学ファインダと並び、撮像素子を用いて撮影範囲の画像を取り込み、液晶モニター等で表示する電子ビューファインダ（以下、ＥＶＦ、ライブビューともいう）を有する撮像装置が多数提案されている。ＥＶＦの特徴としては、外界の暗さ、即ち輝度の低下に強いこと、被写界深度等の確認が容易なこと、拡大等の加工表示が容易なこと等がある。
【０００３】
一方、ＥＶＦ機能中は、ミラーはミラーアップ位置に移動し、シャッターは開いているため、レンズに入射した光線を測距センサに導くことができない。そのため、測距センサを用いたオートフォーカス処理を行うことができない。したがって、ＥＶＦ機能中にオートフォーカスの開始指示があった場合、ＥＶＦ機能を一旦中止して、測距センサを用いたオートフォーカス処理を行い、合焦した時点でＥＶＦ動作を再開するという提案がなされている（特許文献１参照）。
【特許文献１】特開２００５−２０３９７号公報
【発明の開示】
【発明が解決しようとする課題】
【０００４】
しかしながら、特許文献１では、合焦した時点でミラーをミラーアップ位置に移動させ、ＥＶＦ動作を再開するため、合焦後に光学ファインダを介して物体像を観察することができないという問題があった。また、ＥＶＦ動作を再開するタイミングは、オートフォーカス処理の合焦状態に依存するため、使用者が望むタイミングでＥＶＦ動作を再開することができないという問題があった。
【０００５】
（発明の目的）
本発明の目的は、電子ビューファインダ機能を一旦中止して、オートフォーカス動作を行うことで合焦状態になったとしても、光学ファインダにより物体像を観察可能にするとともに、使用者が望むタイミングで電子ビューファインダ機能を再開させることのできる撮像装置を提供しようとするものである。
【課題を解決するための手段】
【０００６】
上記目的を達成するために、本発明は、撮像手段で撮像された画像を表示して電子ビューファインダとして機能する画像表示手段と、撮像レンズに入射した光線を光学ファインダへ導くミラーダウン位置と前記撮像手段へ導くミラーアップ位置との間で移動可能なミラー部材と、前記ミラー部材がミラーダウン位置にあるときに、光学像の焦点検出を行うオートフォーカス手段と、前記オートフォーカス手段の動作開始及び終了を指示する指示部材と、前記電子ビューファインダ機能時の際に、前記指示部材によりオートフォーカス動作の開始指示がなされた場合、前記ミラー部材をミラーダウン位置に移動させ、前記オートフォーカス手段にて焦点検出を行わせる制御手段とを有する撮像装置であって、前記制御手段が、前記指示部材によりオートフォーカス動作の開始指示がなされている間は、前記ミラー部材をミラーダウン位置とし、前記指示部材によりオートフォーカス動作の終了指示がなされると、前記ミラー部材を前記ミラーアップ位置に移動させる撮像装置とするものである。
【発明の効果】
【０００７】
本発明によれば、電子ビューファインダ機能を一旦中止して、オートフォーカス動作を行うことで合焦状態になったとしても、光学ファインダにより物体像を観察可能にするとともに、使用者が望むタイミングで電子ビューファインダ機能を再開させることができる撮像装置を提供できるものである。
【発明を実施するための最良の形態】
【０００８】
本発明を実施するための最良の形態は、以下の実施例１および２に示す通りである。
【実施例１】
【０００９】
図１は本発明の実施例１に係わる、電子ビューファインダ機能を有する撮像装置を示す構成図であり、１００は撮像装置の装置本体、２００，２１０は記録媒体、３００は交換レンズタイプのレンズユニットである。
【００１０】
まず、装置本体１００内の構成について説明する。１２は露光量を制御するためのシャッター、１４はシャッター１２を通過して結像された光学像を電気信号に変換する撮像素子である。１６は撮像素子１４からのアナログ信号をデジタル信号に変換するＡ／Ｄ変換器である。１８は、撮像素子１４、Ａ／Ｄ変換器１６、Ｄ／Ａ変換器２６にクロック信号や制御信号を供給するタイミング発生部であり、後述のメモリ制御部２２及びシステム制御部５０により制御される。
【００１１】
２０は画像処理部であり、Ａ／Ｄ変換器１６からのデータ或いはメモリ制御部２２からのデータに対して所定の画素補間処理や色変換処理を行う。また、画像処理部２０では、必要に応じて、撮像した画像データを用いて所定の演算処理を行う。後述のシステム制御部５０は、上記の演算結果に基づいてシャッター制御部４０、測距部４２に対して制御を行う。つまり、ＴＴＬ（Ｔｈｒｏｕｇｈ  Ｔｈｅ  Ｌｅｎｓ）方式のＡＦ（オートフォーカス）処理を行う。画像処理部２０は、さらにＡＥ（自動露出）処理、ＥＦ（フラッシュ調光）処理を行う。画像処理部２０は、さらに、撮像した画像データを用いて所定の演算処理を行い、得られた演算結果に基づいてＴＴＬ方式のＡＷＢ（オートホワイトバランス）処理も行う。
【００１２】
なお、本実施例１においては、測距部４２及び測光部４６を専用に備える構成としている。そのため、測距部４２及び測光部４６を用いてＡＦ処理、ＡＥ処理、ＥＦ処理の各処理を行い、上記画像処理部２０を用いたＡＦ処理、ＡＥ処理、ＥＦ処理の各処理を行わない構成としても良い。或いは、測距部４２及び測光部４６を用いてＡＦ処理、ＡＥ処理、ＥＦ処理の各処理を行い、さらに、上記画像処理部２０を用いたＡＦ処理、ＡＥ処理、ＥＦ処理の各処理を行う構成としても良い。測距部４２、測光部４６は光学ファインダ使用時に動作可能になる。
【００１３】
２２はメモリ制御部であり、Ａ／Ｄ変換器１６、タイミング発生部１８、画像処理部２０、画像表示メモリ２４、Ｄ／Ａ変換器２６、メモリ３０、圧縮伸長部３２を制御する。Ａ／Ｄ変換器１６のデータは、画像処理部２０、メモリ制御部２２を介して、画像処理部２０を経ることなくメモリ制御部２２を介して、画像表示メモリ２４或いはメモリ３０に書き込まれる。
【００１４】
２４は画像表示メモリ、２６はＤ／Ａ変換器である。２８はＴＦＴ、ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ビューファインダ機能を実現することが可能である。また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００１５】
３０は撮影した静止画像を格納するためのメモリであり、所定枚数の静止画像を格納するのに十分な記憶量を備えている。これにより、複数枚の静止画像を連続して撮影する連写撮影の場合にも、高速かつ大量の画像書き込みをメモリ３０に対して行うことが可能となる。また、メモリ３０はシステム制御部５０の作業領域としても使用することが可能である。
【００１６】
３２は適応離散コサイン変換（ＡＤＣＴ）等により画像データを圧縮伸長する圧縮伸長部であり、メモリ３０に格納された画像を読み込んで圧縮処理或いは伸長処理を行い、処理を終えたデータをメモリ３０に書き込む。
【００１７】
４０は測光部４６からの測光情報に基づいて、絞り３１２を制御する絞り制御部３４０と連携しながら、シャッター１２を制御するシャッター制御部である。４２はＡＦ処理を行うための測距部である。後述のレンズ３１０に入射した光線を、一眼レフ方式によって、絞り３１２、レンズマウント３０６及び１０６、ミラー１３０そして不図示の測距用サブミラーを介して、測距部４２に入射させる。すると、この測距部４２により、光学像として結像された画像の合焦状態を測定することが出来る。
【００１８】
４６はＡＥ処理を行うための測光部である。レンズ３１０に入射した光線を、一眼レフ方式によって、絞り３１２、レンズマウント３０６及び１０６、ミラー１３０及び１３２そして不図示の測光用レンズを介して、測光部４６に入射させる。すると、この測光部４６により、光学像として結像された画像の露出状態を測定することが出来る。また、測光部４６は、フラッシュ４８と連携することによりＥＦ処理機能も有するものである。
【００１９】
４８はフラッシュであり、ＡＦ補助光の投光機能、フラッシュ調光機能も有する。
【００２０】
なお、撮像素子１４によって撮像した画像データを画像処理回路２０によって演算した演算結果に基づき、システム制御回路５０がシャッター制御部４０、絞り制御部３４０、測距制御部３４２に対して制御を行う。つまり、ＴＴＬ（位相差）方式を用いて露出制御及びＡＦ制御をすることも可能である。測距部４２による測定結果と、撮像素子１４によって撮像した画像データを画像処理部２０によって演算した演算結果とを共に用いてＡＦ制御を行っても構わない。さらに、測光部４６による測定結果と、撮像素子１４によって撮像した画像データを画像処理部２０によって演算した演算結果とを共に用いて露出制御を行っても構わない。
【００２１】
５０は装置本体１００全体を制御するシステム制御部、５２は、システム制御部５０の動作用の定数、変数、プログラム等を記憶するメモリである。５４は、システム制御部５０でのプログラムの実行に応じて、文字、画像、音声等を用いて動作状態やメッセージ等を表示する液晶表示装置、スピーカー等の表示部である。この表示部５４は装置本体１００の操作部近辺の視認し易い位置に単数或いは複数個所設置され、例えばＬＣＤやＬＥＤ、発音素子等の組み合わせにより構成されている。また、表示部５４は、その一部の機能が光学ファインダ１０４内に設置されている。
【００２２】
上記表示部５４の表示内容のうち、ＬＣＤ等に表示するものとしては、例えば、単写／連写撮影表示、セルフタイマー表示、圧縮率表示、記録画素数表示、記録枚数表示、残撮影可能枚数表示、シャッタースピード表示がある。さらには、絞り値表示、露出補正表示、調光補正表示、外部ストロボ発光量表示、赤目緩和表示、ブザー設定表示、電池残量表示、エラー表示、複数桁の数字による情報表示、記録媒体２００及び２１０の着脱状態表示、レンズユニット３００の着脱状態表示がある。さらには、通信Ｉ／Ｆ動作表示、日付・時刻表示、外部コンピュータとの接続状態を示す表示、等がある。
【００２３】
また、表示部５４の表示内容のうち、光学ファインダ１０４内に表示されるものとしては、例えば、合焦表示、撮影準備完了表示、手振れ警告表示、フラッシュ充電表示、フラッシュ充電完了表示がある。さらに、シャッタースピード表示、絞り値表示、露出補正表示、記録媒体書き込み動作表示等がある。さらに、表示部５４の表示内容のうち、ＬＥＤ等に表示するものとしては、例えば、記録媒体書き込み動作表示等がある。そして、表示部５４の表示内容のうち、ランプ等に表示するものとしては、例えば、セルフタイマー通知ランプ等がある。このセルフタイマー通知ランプは、ＡＦ補助光と共用して用いても良い。
【００２４】
５６は電気的に消去・記録可能な不揮発性メモリであり、例えばＥＥＰＲＯＭ等が用いられる。
【００２５】
６０，６２，６４，６６，６８，及び７０は、システム制御部５０の各種の動作指示を入力するための操作部であり、スイッチやダイアル、タッチパネル、視線検知によるポインティング、音声認識装置等の単数或いは複数の組み合わせで構成される。以下に、これらの操作部の具体的な説明を行う。
【００２６】
６０はモードダイアルスイッチであり、自動撮影モード、プログラム撮影モード、シャッター速度優先撮影モード、絞り優先撮影モード、マニュアル撮影モード、自動被写界深度（オートデプス）撮影モードを切り換え設定することが出来る。さらには、ポートレート撮影モード、風景撮影モード、接写撮影モード、スポーツ撮影モード、夜景撮影モード、パノラマ撮影モード等の各機能撮影モードを切り換え設定することが出来る。
【００２７】
６２はシャッタースイッチ（以下、スイッチＳＷ１）であり、不図示のシャッター釦の操作途中でＯＮとなり、ＡＦ処理、ＡＥ処理、ＡＷＢ処理、ＥＦ処理等の動作開始を指示する。６４はシャッタースイッチ（以下、スイッチＳＷ２）であり、不図示のシャッター釦の操作完了でＯＮとなり、撮像素子１４から読み出した信号をＡ／Ｄ変換器１６、メモリ制御部２２を介してメモリ３０に画像データを書き込む露光処理の開始を指示する。さらには、画像処理部２０やメモリ制御部２２での演算を用いた現像処理、メモリ３０から画像データを読み出し、圧縮伸長部３２で圧縮を行い、記録媒体２００或いは２１０に画像データを書き込む記録処理という一連の処理の動作開始を指示する。
【００２８】
６６はファインダモード切換スイッチであり、該ファインダモード切換スイッチ６６の操作により光学ファインダ（通常撮影モード）および電子ビューファインダ（ＥＶＦモード）の設定を切り換えることができる。ここで、通常撮影モードでは、光学ファインダ１０４を介して物体像を観察することができ、ＥＶＦモードでは、画像表示部２８を介して物体像を観察する、つまり電子ビューファインダとして機能させることができる。
【００２９】
上述した構成において、ミラー１３０そして不図示の測距用サブミラーは、ミラーダウン状態とミラーアップ状態とからなる２つの状態を選択的にとることができる。ミラーダウン状態は、後述するように光学ファインダ１０４および測距部４２に光を導くための光路状態である。ミラーアップ状態は、レンズ３１０からの光をダイレクトに撮像素子１４で受光させるための光路状態である。
【００３０】
ミラーダウン状態では、光学ファインダ１０４を介して物体像を観察することができるとともに、測距部４２において焦点検出を行うことができる。ミラーアップ状態では、ミラー１３０そして不図示の測距用サブミラーが撮影光路上から退避しており、レンズ３１０からの光が直接、撮像素子１４に到達可能となっている。よって、ミラーアップ状態では、撮像素子１４の出力に基づいて撮影画像を画像表示部２８に連続表示する電子ビューファインダとして機能させたり、撮影を行ったりすることができる。
【００３１】
本実施例１では、２通りの光路状態を例に挙げたが、ハーフミラー、その他の方法で撮像素子１４および測距部４２に同時に光を導くことで、画像表示部２８に被写体画像を表示したまま焦点検出を行うことが可能な構成をとることも可能である。
【００３２】
６８はＡＦスイッチであり、測距部４２により実行されるＡＦ処理の動作開始及び終了を指示する。ここで、ＡＦ処理は、ファインダモードの設定が通常撮影モードであっても、ＥＶＦモードであっても動作可能である。
【００３３】
７０は各種ボタンやタッチパネル等からなる操作部であり、メニューボタン、セットボタン、マルチ画面再生改ページボタン、フラッシュ設定ボタン、単写／連写／セルフタイマー切り換えボタンを含む。さらに、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、調光補正ボタン、外部ストロボ発光量設定ボタンを含む。さらに、日付／時間設定ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチを含む。さらに、ＪＰＥＧ圧縮の圧縮率を選択するため或いは撮像素子の信号をそのままデジタル化して記録媒体に記録するＣＣＤＲＡＷモードを選択するためのスイッチである圧縮モードスイッチを含む。さらに、再生モード、マルチ画面再生・消去モード、ＰＣ接続モード等の各機能モードを設定することが出来る再生スイッチを含む。さらに、スイッチＳＷ１がＯＮしたならばＡＦ動作を開始し、一旦合焦したならばその合焦状態を保ち続けるワンショットＡＦモードとスイッチＳＷ１のＯＮの間は連続してＡＦ動作を続けるサーボＡＦモードとを設定するＡＦモード設定スイッチ等を含む。また、上記プラスボタン及びマイナスボタンの各機能は、回転ダイアルスイッチを備えることによって、より軽快に数値や機能を選択することが可能となる。
【００３４】
７２は電源スイッチであり、装置本体１００の電源ＯＮ、電源ＯＦＦの各モードを切り換え設定することが出来る。また、装置本体１００に接続されたレンズユニット３００、外部ストロボ、記録媒体２００，２１０等の各種付属装置の電源オン、電源オフの設定も合わせて切り換え設定することが出来る。
【００３５】
８０は電源制御部であり、電池検出部、ＤＣ／ＤＣコンバータ、通電するブロックを切り換えるスイッチ部等により構成されている。そして、電池の装着の有無、電池の種類、電池残量の検出を行い、検出結果及びシステム制御部５０の指示に基づいてＤＣ／ＤＣコンバータを制御し、必要な電圧を必要な期間、記録媒体を含む各部へ供給する。
【００３６】
８２はコネクタ、８６はアルカリ電池やリチウム電池等の一次電池やＮｉＣｄ電池、Ｌｉ電池等の二次電池、ＡＣアダプター等からなる電源部である。９０及び９４はメモリカードやハードディスク等の記録媒体とのインターフェース、９２及び９６はメモリカードやハードディスク等の記録媒体と接続を行うコネクタである。
【００３７】
なお、本実施例１では、記録媒体２００，２１０を取り付けるインターフェース及びコネクタを２系統持つものとして説明している。もちろん、記録媒体２００，２１０を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。
【００３８】
さらに、インターフェース９０及び９４、そしてコネクタ９２及び９６をＰＣＭＣＩＡカードやＣＦ（コンパクトフラッシュ（登録商標））カード等の規格に準拠したものを用いた構成とする。そして、ＬＡＮカードやモデムカード、ＵＳＢカード、ＩＥＥＥ１３９４カード、ＳＣＳＩカード、ＰＨＳ等の通信カード、等の各種通信カードを接続したとする。これにより、他のコンピュータやプリンタ等の周辺機器との間で画像データや画像データに付属した管理情報を転送し合うことが出来る。
【００３９】
１０４は光学ファインダであり、レンズ３１０に入射した光線を、一眼レフ方式によって、絞り３１２、レンズマウント３０６及び１０６、ミラー１３０及び１３２を介して導き、光学像として結像表示することが出来る。これにより、画像表示部２８による電子ファインダ機能を使用すること無しに、光学ファインダ１０４のみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００４０】
１１０は通信部であり、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信部１１０により装置本体１００を他の機器と接続するコネクタ、或いは無線通信の場合はアンテナである。
【００４１】
１２０はインターフェースであり、レンズマウント１０６内において、装置本体１００をレンズユニット３００と接続するためのものである。１２２は装置本体１００をレンズユニット３００と電気的に接続するコネクタである。コネクタ１２２は、装置本体１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【００４２】
１３０，１３２はミラーであり、レンズ３１０に入射した光線を、一眼レフ方式によって光学ファインダ１０４に導くことが出来る。なお、ミラー１３２は、クイックリターンミラーの構成としても、ハーフミラーの構成としても、どちらでも構わない。
【００４３】
次に、記録媒体２００，２１０について説明する。
【００４４】
記録媒体２００は、メモリカードやハードディスク等より成る。記録媒体２００は、半導体メモリや磁気ディスク等から構成される記録部２０２、装置本体１００とのインターフェース２０４、装置本体１００と接続を行うコネクタ２０６を備えている。記録媒体２１０も、メモリカードやハードディスク等より成る。記録媒体２１０は、半導体メモリや磁気ディスク等から構成される記録部２１２、装置本体１００とのインターフェース２１４、装置本体１００と接続を行うコネクタ２１６を備えている。
【００４５】
次に、レンズユニット３００について説明する。
【００４６】
３１０はレンズであり、該レンズ３１０に入射した光線は、絞り３１２、レンズマウント３０６及び１０６、ミラー１３０、シャッター１２を介して導かれ、光学像として撮像素子１４上に結像する。３０６は、レンズユニット３００を装置本体１００と機械的に結合するレンズマウントである。レンズマウント３０６内には、レンズユニット３００を装置本体１００と電気的に接続する各種機能が含まれている。
【００４７】
３２０はインターフェースであり、レンズマウント３０６内において、レンズユニット３００を装置本体１００と接続するためのものである。３２２はレンズユニット３００を装置本体１００と電気的に接続するコネクタである。コネクタ３２２は、装置本体１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００４８】
３４０は絞り制御部であり、測光部４６からの測光情報に基づいて、シャッター１２を制御するシャッター制御部４０と連携しながら、絞り３１２を制御する。３４２は撮影レンズ３１０のフォーカシングを制御する測距制御部、３４４は撮影レンズ３１０のズーミングを制御するズーム制御部である。３５０はレンズユニット３００全体を制御するレンズシステム制御部である。レンズシステム制御部３５０は、動作用の定数、変数、プログラム等を記憶するメモリを備えている。さらには、レンズユニット３００固有の番号等の識別情報、管理情報、開放絞り値や最小絞り値、焦点距離等の機能情報、現在や過去の各設定値などを保持する不揮発メモリの機能も備えている。
【００４９】
次に、上記構成の撮像装置の主要部分の動作について、図２および図３のフローチャートを用いて説明する。
【００５０】
まず、ファインダモード切換スイッチ６６によりＥＶＦモードが選択された場合の動作について、図２のフローチャートにより説明する。
【００５１】
ステップＳ４００にて、システム制御回路５０は、ファインダモード切換スイッチ６６（図２では、ＥＶＦ−ＳＷ）がＯＮされたか否かを判定し、ＯＮされていなければこのステップで待機する。その後、ファインダモード切換スイッチ６６がＯＮされたことを判定するとステップＳ４０１へ進み、撮影モードを通常撮影モードからＥＶＦモードに切り換える。即ち、ミラー１３０を不図示のミラー駆動部によってミラーアップ位置に移動させる。次のステップＳ４０２では、シャッター制御部４０によってシャッター１２を開き、続くステップＳ４０３にて、ＥＶＦ表示を行う。つまり、ミラー１３０が、レンズ３１０からの光をダイレクトに撮像素子１４で受光させるための光路状態へ移動しているので、被写体画像をリアルタイムに画像表示部２８にて表示することができる。換言すれば、画像表示部２８を電子ビューファインダとして機能させることができる。
【００５２】
被写体画像を表示後はステップＳ４０４へ進み、システム制御回路５０は、ファインダモード切換スイッチ６６がＯＦＦされるのを待機する。ファインダモード切換スイッチ６６がＯＦＦされると、ステップＳ４０５へ進み、画像表示部２８での被写体画像表示を停止する。そして、次のステップＳ４０６にて、シャッター制御部４０によってシャッター１２を閉じ、続くステップＳ４０７にて、ミラー１３０を不図示のミラー駆動部によってミラーダウン位置に移動させる。つまり、ミラー１３０を光学ファインダ１０４に光を導くための光路状態へ戻し、ＥＶＦモードを抜ける。
【００５３】
次のステップＳ４０８では、システム制御回路５０は、スイッチＳＷ２がＯＮされたか否かを判定し、該スイッチＳＷ２がＯＮされていればステップＳ４０８へ進み、撮影シーケンスを実行する。一方、スイッチＳＷ２がＯＮされていなければ直ちに本フローチャートを終了する。
【００５４】
なお、ＥＶＦモード中にスイッチＳＷ２がＯＮされたら、一旦ＥＶＦを終了し、シャッター１２を閉じ、ミラー１３０をミラーダウンするようにすれば撮影は可能である。この場合、撮影終了後にＥＶＦに復帰することになる。
【００５５】
次に、ＥＶＦモードの動作（電子ビューファインダ機能）中に、ワンショットＡＦモードにてＡＦ処理を行う場合について、図３のフローチャートを用いて説明する。
【００５６】
ステップＳ５００では、システム制御回路５０は、ＡＦスイッチ６８（図３、図４では、ＡＦ−ＳＷ）がＯＮされたか否かを判定し、ＯＮされていなければこのステップで待機する。その後、ＡＦスイッチ６８がＯＮされたことを判定するとステップＳ５０１へ進み、画像表示部２８での被写体画像表示を停止する。つまり、電子ビューファインダ機能を一旦停止する。そして、次のステップＳ５０２にて、シャッター制御部４０によってシャッター１２を閉じる。続くステップＳ５０３では、ミラー１３０を不図示のミラー駆動部によってミラーダウン位置に移動させる。即ち、一旦ＥＶＦモードを抜けて（電子ビューファインダ機能を一旦停止して）、ミラー１３０を光学ファインダ１０４および測距部４２に光を導くための光路状態へ戻す。これにより、ＡＦ処理が可能な状態になる。
【００５７】
次のステップＳ５０４では、システム制御回路５０は、測距部４２によりワンショットＡＦモードでＡＦ処理を実行する。本実施例１では、ＡＦモードはワンショットＡＦモードが選択されているので、オートフォーカス動作を開始し、一旦合焦したならば、オートフォーカス動作を停止する。
【００５８】
続くステップＳ５０５では、システム制御回路５０は、ＡＦスイッチ６８がＯＦＦされたか否かを判定する。ＡＦスイッチ６８がＯＦＦされていないと判定した場合はステップＳ５０６へ進み、ここでは合焦状態にあるか否かを判定する。判定の結果、合焦状態であると判定した場合は、オートフォーカス動作を継続する必要がないため、ステップ５０５へ戻る。一方、合焦状態でないと判定した場合はステップ５０４へ戻り、オートフォーカス動作を継続する。
【００５９】
以上のように、ＡＦ処理の結果、合焦状態になった後でもＡＦスイッチ６８がＯＦＦされない限り、ミラー１３０を光学ファインダ１０４および測距部４２に光を導くための光路状態で維持する。このため、合焦後でもＡＦスイッチ６８がＯＮの間は光学ファインダ１０４を介して物体像を観察することが可能である。
【００６０】
上記ステップＳ５０５にてＡＦスイッチ６８がＯＦＦされたと判定した場合はステップＳ５０７へ進み、システム制御回路５０は、ミラー１３０を不図示のミラー駆動部によってミラーアップ位置に移動させる。そして、次のステップＳ５０８にて、シャッター制御部４０によってシャッター１２を開き、続くステップＳ５０９にて、ＥＶＦ表示を開始して、ＥＶＦモードへ復帰する。つまり、電子ビューファインダ機能を再開させる。
【００６１】
以上の実施例１によれば、ＥＶＦモードの動作中に、ワンショットＡＦモードにてＡＦ処理を行った場合、ＡＦスイッチ６８がＯＮされている間は合焦状態になった後もミラー１３０のミラーアップを行わない。そのため、合焦状態になった後もＡＦスイッチ６８がＯＮされている間は光学ファインダを介して物体像を観察することが可能である。
【００６２】
また、ＡＦ処理の合焦状態とは無関係に、ＡＦスイッチ６８がＯＦＦされたタイミングでＥＶＦモードに復帰させることが可能である。
【実施例２】
【００６３】
次に、本発明の実施例２について説明する。本実施例２に係る撮像装置の構成は図１に示す構成と同様であるため、その詳細は省略する。また、ファインダモード切換スイッチ６６によりＥＶＦモードが選択された場合の動作は、図２に示すフローチャートと同様であるため、ＥＶＦモードの動作に係わる説明は省略する。
【００６４】
図４は、本発明の実施例２に係る撮像装置において、ＥＶＦモードの動作中にサーボＡＦモードにてＡＦ処理を行う場合の動作を示すフローチャートである。
【００６５】
ステップＳ６００では、システム制御回路５０は、ＡＦスイッチ６８がＯＮされたか否かを判定し、ＯＮされていなければこのステップで待機する。その後、ＡＦスイッチ６８がＯＮされたことを判定するとステップＳ６０１へ進み、画像表示部２８での被写体画像表示を停止する。そして、次のステップＳ６０２にて、シャッター制御部４０によってシャッター１２を閉じ、続くステップＳ６０３にて、ミラー１３０を不図示のミラー駆動部によってミラーダウン位置に移動させる。即ち、一旦ＥＶＦモードを抜けて（電子ビューファインダ機能を一旦停止して）、ミラー１３０を光学ファインダ１０４および測距部４２に光を導くための光路状態へ戻す。これにより、ＡＦ処理が可能な状態になる。
【００６６】
次のステップＳ６０４では、システム制御回路５０は、測距部４２によりサーボＡＦモードでＡＦ処理を実行する。本実施例２では、ＡＦモードはサーボＡＦモードが選択されているので、合焦後も連続してオートフォーカス動作を継続する。
【００６７】
続くステップＳ６０５では、システム制御回路５０は、ＡＦスイッチ６８がＯＦＦされたか否かを判定し、ＯＦＦされていなければステップＳ６０４へ戻り、サーボＡＦモードによるＡＦ動作を継続する。即ち、ＡＦスイッチ６８がＯＮされている間は連続してオートフォーカス動作を継続する。
【００６８】
以上のように、ＡＦスイッチ６８がＯＦＦされない限り、ミラー１３０を光学ファインダ１０４および測距部４２に光を導くための光路状態（第１光路状態）で維持する。そのため、ＡＦスイッチ６８がＯＮされている間は、光学ファインダ１０４を介して物体像を観察することが可能である。
【００６９】
上記ステップ６０５にてＡＦスイッチ６８がＯＦＦされたことを判定した場合はステップＳ６０６へ進み、システム制御回路５０は、ミラー１３０を不図示のミラー駆動部によってミラーアップ位置に移動させる。そして、次のステップＳ６０６にて、シャッター制御部４０によってシャッター１２を開き、続くステップＳ６０７にて、ＥＶＦ表示を開始して、ＥＶＦモードへ復帰する。つまり、電子ビューファインダ機能を再開させる。
【００７０】
以上の実施例２によれば、ＥＶＦモードの動作中に、サーボＡＦモードにてＡＦ処理を行った場合、ＡＦスイッチ６８がＯＮされている間は、連続してＡＦ動作を継続することが可能である。また、ＡＦ動作が行われている間はミラー１３０のミラーアップが行われないため、光学ファインダを介して物体像を観察することが可能である。
【００７１】
また、ＡＦスイッチ６８がＯＦＦされたタイミングでＥＶＦモードに復帰させることができる。
【００７２】
（本発明と実施例の対応）
撮像素子１４が本発明の撮像手段に相当する。また、画像表示部２８が、本発明の、撮像手段で撮像された画像を表示して電子ビューファインダとして機能する画像表示手段に、光学ファインダ１０４が、本発明の、撮影の際の物体像を観察するための光学ファインダに、それぞれ相当する。また、ミラー１３０が、本発明の、撮像レンズに入射した光線を光学ファインダへ導くミラーダウン位置と撮像手段へ導くミラーアップ位置との間で移動可能なミラー部材に相当する。また、測距部４２が、本発明の、ミラー部材がミラーダウン位置にあるときに、光学像の焦点検出を行うオートフォーカス手段に相当する。また、ＡＦスイッチ６８が、本発明の、オートフォーカス手段の動作開始及び終了を指示する指示部材に相当する。
【００７３】
また、システム制御部５０が、本発明の、電子ビューファインダ機能時の際に、指示部材によりオートフォーカス動作の開始指示がなされた場合、ミラー部材をミラーダウン位置に移動させ、オートフォーカス手段にて焦点検出を行わせる制御手段に相当する。システム制御部５０は、指示部材によりオートフォーカス動作の開始指示がなされている間は、ミラー部材をミラーダウン位置とする。そして、指示部材によりオートフォーカス動作の終了指示がなされると、ミラー部材を前記ミラーアップ位置に移動させる。また、ファインダモード切換スイッチ６６が本発明の設定手段に相当する。
【００７４】
（変形例）
本発明は、前述した実施例１または２の機能を実現するソフトウェアのプログラムコードを記録した記憶媒体をシステム或いは装置に供給し、そのシステム等のコンピュータが記憶媒体からプログラムコードを読み出し、実行することによっても達成される。この場合、記憶媒体から読み出されたプログラムコード自体が、前述した実施例１または２の機能を実現することになり、プログラムコード自体及びそのプログラムコードを記憶した記憶媒体は本発明を構成することになる。
【００７５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７６】
また、コンピュータが読み出したプログラムコードの指示に基づき、コンピュータ上で稼動しているＯＳ等が実際の処理の一部又は全部を行い、その処理によって前述した実施例の機能が実現される場合も含まれる。
【００７７】
さらに、記憶媒体から読み出されたプログラムコードが、コンピュータに接続された機能拡張ユニット等に備わるメモリに書込まれた後、そのプログラムコードの指示に基づきＣＰＵ等が実際の処理を行い、前述した実施例の機能が実現される場合も含まれる。
【図面の簡単な説明】
【００７８】
【図１】本発明の実施例１および２に係わる撮像装置を示す構成図である。
【図２】本発明の実施例１および２に係る撮像装置におけるＥＶＦモード選択時の動作を示すフローチャートである。
【図３】本発明の実施例１に係る撮像装置におけるＥＶＦモードの動作中にワンショットＡＦモードにてＡＦ処理を行う場合の動作を示すフローチャートである。
【図４】本発明の実施例２に係る撮像装置におけるＥＶＦモードの動作中にサーボＡＦモードにてＡＦ処理を行う場合の動作を示すフローチャートである。
【符号の説明】
【００７９】
１２    シャッター
１４    撮像素子
２０    画像処理回路
２８    画像表示部
４０    シャッター制御部
４２    測距部
６０    モードダイアルスイッチ
６６    ファインダモード切換スイッチ
６８    ＡＦスイッチ
７０    操作部
１０４  光学ファインダ
３００  レンズユニット
【図１】
2009042366.tif 000003
【図２】
2009042366.tif 000004
【図３】
2009042366.tif 000005
【図４】
2009042366.tif 000006